(57)【要約】  エレベーターの状態情報を監視センタに送信できない場合であっても、復旧作業等を必要とするエレベーターの状態情報を効率よく監視センタに送信する。  状態情報通信装置１Ｂが監視センタ４と通信できない場合、状態情報送信部１４は、エレベーター１Ａの状態情報を携帯通信端末６に送信し、他のエレベーター２Ａの状態情報受信部１５は、携帯通信端末６を介して、エレベーター１Ａの状態情報を受信し、エレベーター２Ａとエレベーター１Ａとの関係が所定条件を満たす場合、状態情報蓄積部１３は、エレベーター１Ａの状態情報を蓄積し、監視通信部１２は、状態情報蓄積部１３に蓄積されたエレベーター２Ａの状態情報及びエレベーター１Ａの状態情報を監視センタ４に送信する。
2017216961.tif 000002
【特許請求の範囲】
【請求項１】
エレベーターの状態に関する状態情報を、前記エレベーターを遠隔監視する監視センタに公衆回線網を利用して送信するエレベーターの状態情報通信装置であって、
前記エレベーターから状態情報を取得する状態情報取得部と、
前記エレベーターの状態情報を携帯通信端末に送信する状態情報送信部と、
他のエレベーターの状態情報を前記携帯通信端末から受信する状態情報受信部と、
前記エレベーターの状態情報と他の前記エレベーターの状態情報とをそれぞれ蓄積する状態情報蓄積部と、
前記エレベーターの状態情報及び他の前記エレベーターの状態情報に関して前記監視センタと通信する監視通信部と、
を備え、
前記状態情報送信部による前記エレベーターの状態情報の送信は、前記監視通信部が前記監視センタと通信できない場合に行われ、
前記状態情報蓄積部による他の前記エレベーターの状態情報の蓄積は、前記エレベーターと他の前記エレベーターとの関係が所定条件を満たす場合に行われることを特徴とするエレベーターの状態情報通信装置。
【請求項２】
請求項１に記載のエレベーターの状態情報通信装置であって、
前記監視通信部は、前記公衆回線網を利用できない場合に、前記状態情報送信部による送信機能を有効とし、前記公衆回線網を利用できる場合に、前記状態情報送信部による送信機能を無効とすることを特徴とするエレベーターの状態情報通信装置。
【請求項３】
請求項１に記載のエレベーターの状態情報通信装置であって、
前記エレベーターの状態情報及び他の前記エレベーターの状態情報は、少なくともエレベーター位置情報を含み、
前記所定条件が、前記エレベーターの位置から所定範囲内に他の前記エレベーターが位置している条件であることを特徴とするエレベーターの状態情報通信装置。
【請求項４】
請求項１に記載のエレベーターの状態情報通信装置であって、
前記エレベーターの状態情報及び他の前記エレベーターの状態情報は、少なくともエレベーターグループを判別するためのグループＩＤを含み、
前記所定条件が、前記エレベーターのグループＩＤと他の前記エレベーターのグループＩＤとが、同じグループＩＤである条件であることを特徴とするエレベーターの状態情報通信装置。
【請求項５】
請求項３または４に記載のエレベーターの状態情報通信装置であって、
前記エレベーターの状態情報及び他の前記エレベーターの状態情報は、少なくともエレベーター情報、乗客閉じ込め情報及び前記監視センタへの通知情報を含み、
前記状態情報送信部は、前記エレベーターの状態情報が、前記通知情報が未通知であり、前記エレベーター情報が異常、または、前記乗客閉じ込め情報が閉じ込めである場合に、前記エレベーターの状態情報を送信することを特徴とするエレベーターの状態情報通信装置。
【請求項６】
複数のエレベーターを遠隔監視する監視センタと、各エレベーターにそれぞれ設けられ、前記エレベーターの状態に関する状態情報を公衆回線網を利用して前記監視センタに送信するエレベーターの状態情報通信装置と、複数の前記状態情報通信装置間において前記状態情報を送受信する携帯通信端末とを備えるエレベーターの遠隔監視システムであって、
前記状態情報通信装置は、
前記エレベーターから状態情報を取得する状態情報取得部と、
前記エレベーターの状態情報を前記携帯通信端末に送信する状態情報送信部と、
他のエレベーターの状態情報を前記携帯通信端末から受信する状態情報受信部と、
前記エレベーターの状態情報と他の前記エレベーターの状態情報とをそれぞれ蓄積する状態情報蓄積部と、
前記エレベーターの状態情報及び他の前記エレベーターの状態情報に関して前記監視センタと通信する監視通信部と、
を備え、
前記状態情報送信部による前記エレベーターの状態情報の送信は、前記監視通信部が前記監視センタと通信できない場合に行われ、
前記状態情報蓄積部による他の前記エレベーターの状態情報の蓄積は、前記エレベーターと他の前記エレベーターとの関係が所定条件を満たす場合に行われることを特徴とするエレベーターの遠隔監視システム。
【発明の詳細な説明】
【技術分野】
【０００１】
本発明は、エレベーターの状態情報通信装置及び遠隔監視システムに関し、特に、携帯通信端末を利用して、監視センタにエレベーターの状態情報を伝達する状態情報通信装置及び遠隔監視システムに関する。
【背景技術】
【０００２】
エレベーターの遠隔監視システムには、複数のエレベーターを、アナログ電話網、携帯電話網等の公衆回線網によって遠隔の監視センタに接続することにより、公衆回線網を通じて各エレベーターの稼動状況や故障状況等を集中監視するものがある。このような遠隔監視システムでは、エレベーターにおいて異常が発生した場合や、乗客の閉じ込めが発生した場合に、その情報が公衆回線網を通じて監視センタに報告され、監視センタからそのエレベーターに保守員を派遣するように指示する。【０００３】
しかし、地震等の大規模災害が発生した場合は、公衆回線網が混雑して通信困難になることや、公衆回線網の基地局の損壊、停電により公衆回線網を使用できなくなる可能性がある。このような状況下において、異常が発生しているエレベーター等を早急に復旧するためには、監視センタとの通信ができない状態でもエレベーターの状態情報を知る方法や構成が必要である。【０００４】
特許文献１には、大規模災害時に、乗客の閉じ込めなどの緊急度の高い通報を優先的に監視センタに通信する技術が記載されている。特許文献２には、大規模災害時に、一般利用者の携帯電話回線を利用して、エレベーターの状態情報を監視センタに通信する技術が記載されている。特許文献３には、エレベーターに設けられた外部表示装置を用いて乗客が閉じ込められていることを表示する技術が記載されている。特許文献４には、大規模災害により公衆回線網を使用できない場合に、複数のエレベーター間においてアドホックネットワーク通信を行い、エレベーターの異常や乗客の閉じ込め情報を伝達する技術が記載されている。
【先行技術文献】
【特許文献】
【０００５】
【特許文献１】特開２００３−７３０５０号公報
【特許文献２】特開２００８−５０１０６号公報
【特許文献３】特開２００８−５６３９８号公報
【特許文献４】特開２００８−２４７５５３号公報
【発明の概要】
【発明が解決しようとする課題】
【０００６】
特許文献１、２に記載の技術では、公衆通信網を使用することが前提であり、公衆回線網が混雑して通信困難な場合や、公衆回線網が使用できない場合には、監視センタにエレベーターの状態情報を送信することが困難である。また、特許文献３に記載の技術では、エレベーターの状態情報を外部表示装置が視認できる範囲にしか伝えることができず、監視センタにエレベーターの状態情報を伝達することが困難である。特許文献４に記載の技術では、公衆回線網を使用せずに、エレベーターの異常情報等を他のエレベーターに伝達できる。【０００７】
しかし、大規模災害時では、複数のエレベーターにおいて多数の異常が発生することが考えられ、複数のエレベーター間においても多数のエレベーターの異常情報が存在することになる。このため、保守員が、複数のエレベーター間におけるアドホックネットワーク網の異常情報にアクセスしても、このアドホックネットワーク網の異常情報には、重要度の低い異常情報や、保守員がいる場所から遠隔地の異常情報等も含まれている可能性があり、数多くの異常情報の中から優先度や重要度の高い異常情報を見つけだすことが困難になり、エレベーター異常の対応が遅れてしまう。【０００８】
また、公衆回線網が使用できない場合以外に、エレベーターの監視センタへの通信機器が故障した場合も、エレベーターの状態情報を監視センタに送信できなくなり、エレベーター異常の対応が遅れてしまう。【０００９】
そこで、本発明は、エレベーターの状態情報を監視センタに送信できない場合であっても、復旧作業等を必要とするエレベーターの状態情報を効率よく監視センタに送信することを目的とする。
【課題を解決するための手段】
【００１０】
本発明に係るエレベーターの状態情報通信装置は、エレベーターの状態に関する状態情報を、前記エレベーターを遠隔監視する監視センタに公衆回線網を利用して送信するエレベーターの状態情報通信装置であって、前記エレベーターから状態情報を取得する状態情報取得部と、前記エレベーターの状態情報を携帯通信端末に送信する状態情報送信部と、他のエレベーターの状態情報を前記携帯通信端末から受信する状態情報受信部と、前記エレベーターの状態情報と他の前記エレベーターの状態情報とをそれぞれ蓄積する状態情報蓄積部と、前記エレベーターの状態情報及び他の前記エレベーターの状態情報に関して前記監視センタと通信する監視通信部と、を備え、前記状態情報送信部による前記エレベーターの状態情報の送信は、前記監視通信部が前記監視センタと通信できない場合に行われ、前記状態情報蓄積部による他の前記エレベーターの状態情報の蓄積は、前記エレベーターと他の前記エレベーターとの関係が所定条件を満たす場合に行われることを特徴とする。【００１１】
また、前記監視通信部は、前記公衆回線網を利用できない場合に、前記状態情報送信部による送信機能を有効とし、前記公衆回線網を利用できる場合に、前記状態情報送信部による送信機能を無効とすることを特徴とする。【００１２】
また、前記エレベーターの状態情報及び他の前記エレベーターの状態情報は、少なくともエレベーター位置情報を含み、前記所定条件が、前記エレベーターの位置から所定範囲内に他の前記エレベーターが位置している条件であることを特徴とする。【００１３】
また、前記エレベーターの状態情報及び他の前記エレベーターの状態情報は、少なくともエレベーターグループを判別するためのグループＩＤを含み、前記所定条件が、前記エレベーターのグループＩＤと他の前記エレベーターのグループＩＤとが、同じグループＩＤである条件であることを特徴とする。【００１４】
また、前記エレベーターの状態情報及び他の前記エレベーターの状態情報は、少なくともエレベーター情報、乗客閉じ込め情報及び前記監視センタへの通知情報を含み、前記状態情報送信部は、前記エレベーターの状態情報が、前記通知情報が未通知であり、前記エレベーター情報が異常、または、前記乗客閉じ込め情報が閉じ込めである場合に、前記エレベーターの状態情報を送信することを特徴とする。【００１５】
さらに、本発明に係るエレベーターの遠隔監視システムは、複数のエレベーターを遠隔監視する監視センタと、各エレベーターにそれぞれ設けられ、前記エレベーターの状態に関する状態情報を公衆回線網を利用して前記監視センタに送信するエレベーターの状態情報通信装置と、複数の前記状態情報通信装置間において前記状態情報を送受信する携帯通信端末とを備えるエレベーターの遠隔監視システムであって、前記状態情報通信装置は、前記エレベーターから状態情報を取得する状態情報取得部と、前記エレベーターの状態情報を前記携帯通信端末に送信する状態情報送信部と、他のエレベーターの状態情報を前記携帯通信端末から受信する状態情報受信部と、前記エレベーターの状態情報と他の前記エレベーターの状態情報とをそれぞれ蓄積する状態情報蓄積部と、前記エレベーターの状態情報及び他の前記エレベーターの状態情報に関して前記監視センタと通信する監視通信部と、を備え、前記状態情報送信部による前記エレベーターの状態情報の送信は、前記監視通信部が前記監視センタと通信できない場合に行われ、前記状態情報蓄積部による他の前記エレベーターの状態情報の蓄積は、前記エレベーターと他の前記エレベーターとの関係が所定条件を満たす場合に行われることを特徴とする。
【発明の効果】
【００１６】
本発明によれば、エレベーターの状態情報を監視センタに送信できない場合であっても、復旧作業等を必要とするエレベーターの状態情報を効率よく監視センタに送信することができる。
【図面の簡単な説明】
【００１７】
【図１】第１の実施形態におけるエレベーターの遠隔監視システムの全体構成を示す模式図である。
【図２】第１の実施形態におけるエレベーターの状態情報通信装置のブロック構成図である。
【図３】第１の実施形態におけるエレベーターの状態情報の一例を示す状態情報レコードである。
【図４】第１の実施形態における状態情報取得部の情報取得処理を示すフローチャートである。
【図５】第１の実施形態における監視通信部の情報送信処理を示すフローチャートである。
【図６】第１の実施形態における状態情報送信部の情報送信処理を示すフローチャートである。
【図７】第１の実施形態における状態情報受信部の情報受信処理を示すフローチャートである。
【図８】第１の実施形態における状態情報の蓄積制限を説明するエレベーター間の模式図である。
【図９】第１の実施形態における他のエレベーターの状態情報を追加蓄積した一例を示す状態情報レコードである。
【図１０】第２の実施形態における状態情報受信部の情報受信処理を示すフローチャートである。
【図１１】第２の実施形態における状態情報の蓄積制限を説明するエレベーター間の模式図である。
【図１２】第２の実施形態におけるエレベーターの状態情報の一例を示す状態情報レコードである。
【図１３】第２の実施形態における他のエレベーターの状態情報を追加蓄積した一例を示す状態情報レコードである。
【発明を実施するための形態】
【００１８】
本発明の第１の実施形態におけるエレベーターの遠隔監視システム１００の全体構成を図１に示す。図１に示すように、遠隔監視システム１００は、複数のビル１，２，３にそれぞれ設置されているエレベーター１Ａ，２Ａ，３Ａと、エレベーター１Ａ，２Ａ，３Ａの稼動状況や故障状況等を集中監視する監視センタ４と、エレベーター１Ａ，２Ａ，３Ａにおける故障等の異常や、乗客の閉じ込めの発生に関する状態情報を取得し、この状態情報を監視センタ４に送信する状態情報通信装置１Ｂ，２Ｂ，３Ｂと、エレベーター１Ａ，２Ａ，３Ａと監視センタ４との間で通信を行うために利用する公衆回線網５と、エレベーター１Ａ，２Ａ，３Ａ間において、状態情報の送受信を行う携帯通信端末６、例えば、スマートフォン、パーソナルコンピュータ等の携帯通信端末６とを備えている。
【００１９】
遠隔監視システム１００では、監視センタ４により、公衆回線網５を通じてエレベーター１Ａ，２Ａ，３Ａの稼動状況や故障状況等が集中監視されている。このため、例えば、エレベーター１Ａで故障等の異常や乗客の閉じ込めが発生すると、異常や乗客の閉じ込めに関する状態情報が公衆回線網５を通じて監視センタ４に送信され、監視センタ４からエレベーター保守管理会社に保守員の出動が要請される。
【００２０】
また、エレベーター１Ａが設置されている地域において、地震等の大規模災害が発生して、公衆回線網５が混雑して通信困難になった場合や、公衆回線網５の基地局の損壊、停電により公衆回線網５を使用できなくなった場合、すなわち、エレベーター１Ａと監視センタ４とが通信できなくなった場合には、携帯通信端末６を利用して、エレベーター１Ａの状態情報を他のエレベーター２Ａに伝達する。
【００２１】
携帯通信端末６は、エレベーター１Ａの近傍にある場合に、エレベーター１Ａからエレベーター１Ａの状態情報を受信する。そして、携帯通信端末６が、公衆回線網５を利用できるエレベーター２Ａの近傍に移動した際に、エレベーター１Ａの状態情報をエレベーター２Ａに送信する。エレベーター２Ａは、携帯通信端末６から受信したエレベーター１Ａの状態情報を、公衆回線網５を通じて監視センタ４に送信する。なお、エレベーター１Ａが監視センタ４と通信できない場合における状態情報の送受信制御の詳細については後述する。
【００２２】
次に、状態情報通信装置１Ｂ，２Ｂ，３Ｂの詳細について図２を参照して説明する。エレベーター１Ａ，２Ａ，３Ａには、エレベーター１Ａ，２Ａ，３Ａの異常や乗客の閉じ込め等の状態情報を監視センタ４に送信する状態情報通信装置１Ｂ，２Ｂ，３Ｂがそれぞれ設けられている。状態情報通信装置１Ｂ，２Ｂ，３Ｂはそれぞれ同様の構成であり、それぞれ同様の制御を行うので、以下、状態情報通信装置１Ｂについて説明する。
【００２３】
図２に状態情報通信装置１Ｂの具体的構成を示す。図２に示すように、状態情報通信装置１Ｂは、エレベーター１Ａの状態情報をエレベーター１Ａの制御部１ａから取得する状態情報取得部１１と、エレベーター１Ａの状態情報を監視センタ４に送信する監視通信部１２と、エレベーター１Ａの状態情報を蓄積する状態情報蓄積部１３と、エレベーター１Ａの状態情報を携帯通信端末６に送信する状態情報送信部１４と、他のエレベーター２Ａ，３Ａの状態情報を携帯通信端末６から受信する状態情報受信部１５とを備えている。
【００２４】
状態情報取得部１１は、エレベーター１Ａの制御部１ａに信号線によって接続されており、エレベーター１Ａの制御部１ａから、エレベーター１Ａに発生した故障等の異常や、乗客の閉じ込めに関する状態情報を取得する。この状態情報の一例を図３に示す。図３に示すように、エレベーター１Ａの状態情報は、エレベーター１Ａを特定するエレベーターＩＤ、エレベーター１Ａが設置されている位置情報、エレベーター１Ａの状態が正常または異常であるかを示すエレベーター状態、情報取得時点におけるカゴ内の乗客の有無情報、この状態情報を監視センタ４に通知したか否かを示すフラグ情報等を含む状態情報レコードＤ１として構成されている。なお、これら以外の情報が含まれていても良い。
【００２５】
また、エレベーター１Ａと状態情報取得部１１との情報通信には、例えば、無線ＬＡＮ、Ｂｌｕｅｔｏｏｔｈ（登録商標）等の近距離無線通信や、Ｅｔｈｅｒｎｅｔ（登録商標）、ＲＳ−２３２Ｃ、ＲＳ−４２２、ＲＳ−４８５、ＵＳＢ等の通信規格によって規定された通信ケーブルを用いてもよい。
【００２６】
監視通信部１２は、状態情報取得部１１と接続されており、状態情報取得部１１が取得した状態情報を、公衆回線網５を通じて監視センタ４に送信する。また、監視通信部１２は、公衆回線網５を利用できる場合には、上述したように、状態情報を公衆回線網５を通じて監視センタ４に送信するが、公衆回線網５を利用できない場合には、状態情報送信部１４に、その送信機能を有効にする指示を出力する。
【００２７】
状態情報蓄積部１３には、状態情報取得部１１、状態情報送信部１４及び状態情報受信部１５が接続されている。状態情報蓄積部１３は、状態情報レコードＤ１を記憶する記憶領域として状態情報レコード部Ｄを有している。状態情報蓄積部１３は、状態情報レコード部Ｄに、状態情報取得部１１が取得したエレベーター１Ａの状態情報を蓄積する。また、状態情報蓄積部１３は、状態情報受信部１５が他のエレベーター２Ａ，３Ａの状態情報を受信したときに、エレベーター１Ａと他のエレベーター２Ａ，３Ａとの関係が所定条件を満たす場合に、それらエレベーター２Ａ，３Ａの状態情報も状態情報レコード部Ｄに蓄積する。
【００２８】
状態情報送信部１４は、状態情報蓄積部１３に蓄積されている状態情報を携帯通信端末６に送信する機能を有している。状態情報送信部１４は、公衆回線網５が使用できる場合、その送信機能を無効にされており、公衆回線網５が使用できなくなった場合に監視通信部１２からの指示によりその送信機能を有効にする。
【００２９】
状態情報受信部１５は、他のエレベーター２Ａ，３Ａの状態情報を携帯通信端末６から受信する。状態情報送信部１４及び状態情報受信部１５と、携帯通信端末６との通信には、例えば、無線ＬＡＮ、Ｂｌｕｅｔｏｏｔｈ（登録商標）等の近距離無線通信が用いられる。なお、監視通信部１２、状態情報送信部１４及び状態情報受信部１５に関する詳しい制御内容については後述する。
【００３０】
携帯通信端末６は、近距離無線通信機能を有しており、状態情報送信部１４及び状態情報受信部１５と通信するための通信アプリケーションが予めインストールされている。この通信アプリケーションは、状態情報送信部１４及び状態情報受信部１５との通信制御と、状態情報送信部１４及び状態情報受信部１５と通信した状態情報を一時的に携帯通信端末６に記憶する記憶制御とを行う。通信アプリケーションは、地震等の大規模災害時に活用できる他のアプリケーションに組み込んで、一般利用者が使用する携帯通信端末６に予めダウンロードしてもらうことが好適である。
【００３１】
次に、エレベーター１Ａ，２Ａ，３Ａの状態情報の取得及び状態情報の監視センタ４への送信について説明する。まず、エレベーター１Ａの状態情報の取得制御のフローチャートを図４に示す。
【００３２】
図４のフローチャートのステップＳ１０１において、状態情報取得部１１は、前回、エレベーター１Ａから状態情報を取得してからの経過時間を取得し、この経過時間と予め設定した所定時間とを比較して、経過時間が所定時間を超えたかを判断する。経過時間が所定時間を超えている場合（Ｙｅｓ）には、ステップＳ１０２に進む。また、経過時間が所定時間を超えていない場合（Ｎｏ）には、経過時間の計数を行いリターンする。
【００３３】
ステップＳ１０２では、エレベーター１Ａから最新の状態情報、つまり、エレベーター１Ａの制御部１ａから、エレベーター１Ａに異常が発生しているか、乗客の閉じ込めがあるか等の状態情報を取得して、ステップＳ１０３に進む。
【００３４】
ステップＳ１０３では、取得した最新の状態情報を状態情報蓄積部１３に蓄積する。すなわち、状態情報蓄積部１３に蓄積されている状態情報を、最新の状態情報に更新する。このため、状態情報蓄積部１３に蓄積されている状態情報は、常に最新の状態情報となっている。図３に示すように、状態情報レコードＤ１は、エレベーター状態、乗客有無、フラグ情報の各項目の情報が更新される。ここでは、エレベーター状態は「異常」、乗客有無は「有」、監視センタ４への通知は「未」となっている。
【００３５】
次に、エレベーター１Ａの状態情報の監視センタ４への通信制御を図５に示す。図５のフローチャートのステップＳ２０１において、状態情報通信装置１Ｂは、所定の周期で状態情報蓄積部１３の状態情報レコード部Ｄを確認し、ステップＳ２０２に進む。
【００３６】
ステップＳ２０２では、状態情報レコード部Ｄを確認して、監視センタ４への通知（フラグ情報）が「未」であり、エレベーター状態が「異常」、または、乗客有無が「有」となっている状態情報があるかを判断する。ここでは、図３に示す状態情報レコードＤ１のように、エレベーター状態が「異常」、乗客有無が「有」、監視センタ４への通知が「未」となっているので（Ｙｅｓ）、ステップＳ２０３に進む。また、このような状態情報がない場合（Ｎｏ）、リターンする。
【００３７】
ステップＳ２０３では、監視通信部１２が、公衆回線網５を利用して、該当する状態情報を監視センタ４に送信してステップＳ２０４に進み、ステップＳ２０４では、監視センタ４への送信が成功したかを確認する。
【００３８】
状態情報を監視通信部１２から監視センタ４に送信した場合、監視センタ４はその送信が成功したこと示す信号を監視通信部１２に返信する。この返信がない場合には、監視通信部１２から監視センタ４への送信を所定回数リトライする。それでも、監視センタ４からの返信がない場合には、監視通信部１２から監視センタ４への送信を失敗したと判断する。送信失敗の要因としては、例えば、地震等の大規模災害の発生がある。大規模災害の発生により、公衆回線網５が混雑して通信困難になっている場合や、公衆回線網５の基地局の損壊、停電が発生し公衆回線網５が使用できない場合がある。また、大規模災害の発生でなくても、監視通信部１２の通信機器の故障等によっても監視センタ４への送信ができなくなる。
【００３９】
そして、監視通信部１２から監視センタ４への送信が成功した場合（Ｙｅｓ）、ステップＳ２０５に進み、状態情報の監視センタ４への通知（フラグ情報）を「済」に更新して、ステップＳ２０６に進む。
【００４０】
ステップＳ２０６では、状態情報送信部１４の送信機能を無効にしてリターンする。すなわち、エレベーター１Ａの監視通信部１２は、状態情報を監視センタ４に正常に送信することができているので、状態情報通信装置１Ｂは状態情報を携帯通信端末６に送信する必要がない。一方、監視通信部１２から監視センタ４への送信が失敗した場合（Ｎｏ）、ステップＳ２０７に進み、状態情報送信部１４の送信機能を有効にしてリターンする。
【００４１】
次に、状態情報送信部１４の送信制御について、図６のフローチャートを参照して説明する。図５のステップＳ２０７において、監視通信部１２により状態情報送信部１４の送信機能が有効にされると、図６のフローチャートのステップＳ３０１では、状態情報送信部１４は、エレベーター１Ａの近傍において、通信アプリケーションがインストールされている携帯通信端末６の探索を開始して、ステップＳ３０２に進む。すなわち、エレベーター１Ａの近傍を通行する通行人が所有する携帯通信端末６のうち、通信アプリケーションがインストールされている携帯通信端末６を探索する。
【００４２】
ステップＳ３０２では、携帯通信端末６の探索結果に基づいて、通信可能な携帯通信端末６が発見された場合（Ｙｅｓ）、ステップＳ３０３に進み、携帯通信端末６に状態情報を送信する。この際、携帯通信端末６が複数発見された場合には、それら全ての携帯通信端末６に状態情報を送信する。携帯通信端末６は、状態情報送信部１４から状態情報を受信した場合、その状態情報を記憶する。また、通信可能な携帯通信端末６が発見されない場合（Ｎｏ）リターンする。
【００４３】
そして、この携帯通信端末６を所有する通行人は、図１において、破線で示すように、被災したエレベーター１Ａから、被災していないエレベーター２Ａがある地域に移動する。すなわち、被災地にいる通行人が、被災地から被災していない地域に避難するための移動によって、携帯通信端末６は、被災したエレベーター１Ａから被災していないエレベーター２Ａに移動する。
【００４４】
なお、この際、エレベーター１Ａの状態情報を記憶した携帯通信端末６の数が少ないと、携帯通信端末６がエレベーター１Ａからエレベーター２Ａに移動する確率は低いが、エレベーター１Ａの状態情報を記憶した携帯通信端末６の数を多くすること、すなわち、多数の携帯通信端末６にエレベーター１Ａの状態情報を送信することによって、携帯通信端末６がエレベーター１Ａからエレベーター２Ａに移動する確率を向上することができる。
【００４５】
次に、エレベーター２Ａの状態情報受信部１５の制御について、図７のフローチャート及び図８の模式図を参照して説明する。図８では、エレベーター１Ａ，３Ａが公衆回線網５を利用できない状況であり、エレベーター２Ａがエレベーター１Ａ，３Ａから状態情報を受信する様子を示している。
【００４６】
図７のステップＳ４０１において、エレベーター２Ａの状態情報受信部１５は、エレベーター２Ａの近傍、すなわち、状態情報受信部１５の近距離無線通信領域に位置する携帯通信端末６からの通信の有無を検出して、ステップＳ４０２に進む。
【００４７】
ステップＳ４０２では、検出された携帯通信端末６が他のエレベーター１Ａ，３Ａの状態情報を記憶しているかを確認して、状態情報を記憶している場合には、この状態情報を受信して、ステップＳ４０３に進む。
【００４８】
ステップＳ４０３では、エレベーター１Ａ，３Ａの状態情報レコードＤ１，Ｄ３の位置情報から、エレベーター１Ａ，３Ａ位置情報を読み出し、エレベーター２Ａの位置情報と比較する。
【００４９】
図８に示すように、エレベーター１Ａ，２Ａ，３Ａの位置情報に基づいて、エレベーター１Ａの位置が、エレベーター２Ａの位置を中心として、所定範囲としての半径Ｒの円形領域（例えば、半径５Ｋｍ）以内である場合（Ｙｅｓ）、ステップＳ４０４に進み、エレベーター１Ａの状態情報を、エレベーター２Ａの状態情報蓄積部１３に記憶して、状態情報蓄積部１３内の状態情報レコード部Ｄの情報を更新する。また、エレベーター２Ａの状態情報蓄積部１３における更新した状態情報レコード部Ｄの情報を図９に示す。図９に示すように、エレベーター２Ａの状態情報蓄積部１３では、エレベーター２Ａの状態情報レコードＤ２の他に、エレベーター１Ａの状態情報レコードＤ１が追加されている。
【００５０】
一方、エレベーター３Ａの位置が、エレベーター２Ａの位置を中心とした円形領域外である場合（Ｎｏ）、エレベーター３Ａの状態情報を、エレベーター２Ａの状態情報蓄積部１３に記憶せずリターンする。すなわち、エレベーター１Ａ，３Ａがエレベーター２Ａにおける所定範囲に位置する場合に、エレベーター１Ａ，３Ａの状態情報はエレベーター２Ａの状態情報蓄積部１３に蓄積される。
【００５１】
その後、エレベーター２Ａが位置する領域では、公衆回線網５が使用可能であるので、図５に示すフローチャートのステップＳ２０１〜Ｓ２０６の制御を行う。この結果、エレベーター１Ａの状態情報は、エレベーター２Ａの監視通信部１２を介して監視センタ４に送信される。監視センタ４は、エレベーター１Ａの状態情報に基づき、エレベーター１Ａに保守員の派遣が必要であると判断して、監視センタ４からエレベーター保守管理会社に保守員の出動を要請する。
【００５２】
このように、公衆回線網５を利用できないエレベーター１Ａの状態情報を、公衆回線網５を利用できるエレベーター２Ａを介して、監視センタ４に送信する場合、エレベーター２Ａの近傍に位置するエレベーター１Ａの状態情報のみを、一緒に監視センタ４に送信するので、監視センタ４は、所定範囲に位置するエレベーター状態情報をまとめて判断することができ、保守員を、異常や乗客の閉じ込めが発生しているエレベーター１Ａに効率的に派遣することができる。つまり、エレベーター２Ａが、他のエレベーター１Ａ，３Ａから状態情報を受信した際に、エレベーター２Ａから離れた位置にあるエレベーター３Ａの状態情報の蓄積を制限するので、監視センタ４は状態情報を効率よく収集することができる。
【００５３】
また、携帯通信端末６が複数のエレベーター１Ａ，２Ａ，３Ａの近傍に移動した場合でも、所定範囲外のエレベーター１Ａ，２Ａ，３Ａの状態情報の蓄積が制限されるので、エレベーター１Ａ，２Ａ，３Ａの状態情報の拡散を抑制することができる。その結果、所定範囲に対応して、保守員を派遣することができ、エレベーター異常に対して迅速に対応することができる。また、監視通信部１２の通信機器の故障等によって監視センタ４への送信ができない場合でも、監視センタ４に状態情報の送信をすることができる。
【００５４】
次に、第２の実施形態について図１０〜１３を参照して説明する。第１の実施形態では、エレベーター１Ａ，２Ａ，３Ａの位置情報に基づいて、状態情報の蓄積を制限していたが、第２の実施形態では、エレベーター１Ａ，２Ａ，３ＡのグループＩＤに基づいて状態情報の蓄積を制限している。
【００５５】
第２の実施形態における遠隔監視システム１００は、第１の実施形態における遠隔監視システム１００と、その構成が同様であり、一部の制御が相違しているので相違する制御について説明する。
【００５６】
図１３に示すように、第２の実施形態では、状態情報レコードＤ２の項目に「グループＩＤ」がある。グループＩＤは、各エレベーター１Ａ，２Ａ，３Ａを所定のグループに分類するためのＩＤであり、例えば、保守員Ａがエレベーター保守を担当するグループＩＤを「ＡＡＡＡ」と分類し、保守員Ｂがエレベーター保守を担当するグループＩＤを「ＢＢＢＢ」と分類する。図１３では、エレベーター２Ａは、グループＩＤ「ＡＡＡＡ」に分類されていることを示している。
【００５７】
図１０にフローチャートにおいて、ステップＳ５０１，Ｓ５０２，Ｓ５０４は、図７のステップＳ４０１，Ｓ４０２，Ｓ４０４と同様である。そして、状態情報受信部１５は、図１０のステップＳ５０３において、エレベーター１Ａ，３ＡのグループＩＤを読み出し、エレベーター２ＡのグループＩＤと比較する。
【００５８】
図１１に示すように、エレベーター１Ａ，２Ａ，３ＡのグループＩＤに基づいて、エレベーター２ＡのグループＩＤ「ＡＡＡＡ」とエレベーター１ＡのグループＩＤ「ＡＡＡＡ」が同じグループＩＤである場合（Ｙｅｓ）、ステップＳ５０４に進み、エレベーター１Ａの状態情報を、エレベーター２Ａの状態情報蓄積部１３に記憶して、状態情報蓄積部１３内の状態情報レコード部Ｄの情報を更新する。エレベーター２Ａの状態情報蓄積部１３において更新した状態情報レコード部Ｄの情報を図１３に示す。図１３に示すように、エレベーター２Ａの状態情報蓄積部１３では、エレベーター２Ａの状態情報レコードＤ２の他に、エレベーター１Ａの状態情報レコードＤ１が追加されている。
【００５９】
一方、エレベーター３ＡのグループＩＤ「ＢＢＢＢ」が、エレベーター２ＡのグループＩＤ「ＡＡＡＡ」と異なる場合（Ｎｏ）、エレベーター３Ａの状態情報を、エレベーター２Ａの状態情報蓄積部１３に記憶しない。
【００６０】
このように、第２の実施形態では、各エレベーター１Ａ，２Ａ，３ＡにグループＩＤを付与することによって、エレベーター１Ａ，２Ａ，３Ａの状態情報の蓄積を許可するエレベーター１Ａ，２Ａ，３Ａを個別に指定することができる。このため、保守員が担当するエレベーター１Ａ，２Ａ，３Ａの状態情報を効率的に収集することができる。また、エレベーター種類に応じて、グループＩＤを分類することによって、特定のエレベーター１Ａ，２Ａ，３Ａの状態情報を収集することも可能である。
【符号の説明】
【００６１】
１，２，３  ビル、１Ａ，２Ａ，３Ａ  エレベーター、１Ｂ，２Ｂ，３Ｂ  状態情報通信装置、４  監視センタ、５  公衆回線網、６  携帯通信端末、１１  状態情報取得部、１２  監視通信部、１３  状態情報蓄積部、１４  状態情報送信部、１５  状態情報受信部、１００  遠隔監視システム、Ｄ  状態情報レコード。
【図１】
2017216961.tif 000003
【図２】
2017216961.tif 000004
【図３】
2017216961.tif 000005
【図４】
2017216961.tif 000006
【図５】
2017216961.tif 000007
【図６】
2017216961.tif 000008
【図７】
2017216961.tif 000009
【図８】
2017216961.tif 000010
【図９】
2017216961.tif 000011
【図１０】
2017216961.tif 000012
【図１１】
2017216961.tif 000013
【図１２】
2017216961.tif 000014
【図１３】
2017216961.tif 000015
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
エレベーターの状態に関する状態情報を、前記エレベーターを遠隔監視する監視センタに公衆回線網を利用して送信するエレベーターの状態情報通信装置であって、
前記エレベーターから状態情報を取得する状態情報取得部と、
前記エレベーターの状態情報を携帯通信端末に送信する状態情報送信部と、
他のエレベーターの状態情報を前記携帯通信端末から受信する状態情報受信部と、
前記エレベーターの状態情報と他の前記エレベーターの状態情報とをそれぞれ蓄積する状態情報蓄積部と、
前記エレベーターの状態情報及び他の前記エレベーターの状態情報に関して前記監視センタと通信する監視通信部と、
を備え、
前記状態情報送信部は、前記監視通信部が前記監視センタと通信できない場合に、前記エレベーターの状態情報を前記エレベーターの近傍に位置する前記携帯通信端末に送信し、
前記状態情報受信部は、前記監視通信部が前記監視センタと通信できる場合で、前記携帯通信端末が他の前記エレベーターの近傍から前記エレベーターの近傍に移動した際に、前記携帯通信端末から他の前記エレベーターの状態情報を受信すること、
を特徴とするエレベーターの状態情報通信装置。
【請求項２】
請求項１に記載のエレベーターの状態情報通信装置であって、
前記監視通信部は、前記公衆回線網を利用できない場合に、前記状態情報送信部による送信機能を有効とし、前記公衆回線網を利用できる場合に、前記状態情報送信部による送信機能を無効とすることを特徴とするエレベーターの状態情報通信装置。
【請求項３】
請求項１に記載のエレベーターの状態情報通信装置であって、
前記エレベーターの状態情報及び他の前記エレベーターの状態情報は、少なくともエレベーター位置情報を含み、
前記状態情報蓄積部は、前記エレベーターの位置から所定範囲内に他の前記エレベーターが位置している場合に、前記状態情報受信部が前記携帯通信端末から受信した他の前記エレベーターの状態情報の蓄積を行うこと、を特徴とするエレベーターの状態情報通信装置。
【請求項４】
請求項１に記載のエレベーターの状態情報通信装置であって、
前記エレベーターの状態情報及び他の前記エレベーターの状態情報は、少なくともエレベーターグループを判別するためのグループＩＤを含み、
前記所定条件が、前記エレベーターのグループＩＤと他の前記エレベーターのグループＩＤとが、同じグループＩＤである条件であることを特徴とするエレベーターの状態情報通信装置。
【請求項５】
請求項３または４に記載のエレベーターの状態情報通信装置であって、
前記エレベーターの状態情報及び他の前記エレベーターの状態情報は、少なくともエレベーター情報、乗客閉じ込め情報及び前記監視センタへの通知情報を含み、
前記状態情報送信部は、前記エレベーターの状態情報が、前記通知情報が未通知であり、前記エレベーター情報が異常、または、前記乗客閉じ込め情報が閉じ込めである場合に、前記エレベーターの状態情報を送信することを特徴とするエレベーターの状態情報通信装置。
【請求項６】
複数のエレベーターを遠隔監視する監視センタと、各エレベーターにそれぞれ設けられ、前記エレベーターの状態に関する状態情報を公衆回線網を利用して前記監視センタに送信するエレベーターの状態情報通信装置と、複数の前記状態情報通信装置間において前記状態情報を送受信する携帯通信端末とを備えるエレベーターの遠隔監視システムであって、
前記状態情報通信装置は、
前記エレベーターから状態情報を取得する状態情報取得部と、
前記エレベーターの状態情報を前記携帯通信端末に送信する状態情報送信部と、
他のエレベーターの状態情報を前記携帯通信端末から受信する状態情報受信部と、
前記エレベーターの状態情報と他の前記エレベーターの状態情報とをそれぞれ蓄積する状態情報蓄積部と、
前記エレベーターの状態情報及び他の前記エレベーターの状態情報に関して前記監視センタと通信する監視通信部と、
を備え、
前記状態情報送信部は、前記監視通信部が前記監視センタと通信できない場合に、前記エレベーターの状態情報を前記エレベーターの近傍に位置する前記携帯通信端末に送信し、
前記状態情報受信部は、前記監視通信部が前記監視センタと通信できる場合で、前記携帯通信端末が他の前記エレベーターの近傍から前記エレベーターの近傍に移動した際に、前記携帯通信端末から他の前記エレベーターの状態情報を受信すること、
を特徴とするエレベーターの遠隔監視システム。
【手続補正２】
【補正対象書類名】明細書
【補正対象項目名】００１０
【補正方法】変更
【補正の内容】
【００１０】
本発明に係るエレベーターの状態情報通信装置は、エレベーターの状態に関する状態情報を、前記エレベーターを遠隔監視する監視センタに公衆回線網を利用して送信するエレベーターの状態情報通信装置であって、前記エレベーターから状態情報を取得する状態情報取得部と、前記エレベーターの状態情報を携帯通信端末に送信する状態情報送信部と、他のエレベーターの状態情報を前記携帯通信端末から受信する状態情報受信部と、前記エレベーターの状態情報と他の前記エレベーターの状態情報とをそれぞれ蓄積する状態情報蓄積部と、前記エレベーターの状態情報及び他の前記エレベーターの状態情報に関して前記監視センタと通信する監視通信部と、を備え、前記状態情報送信部は、前記監視通信部が前記監視センタと通信できない場合に、前記エレベーターの状態情報を前記エレベーターの近傍に位置する前記携帯通信端末に送信し、前記状態情報受信部は、前記監視通信部が前記監視センタと通信できる場合で、前記携帯通信端末が他の前記エレベーターの近傍から前記エレベーターの近傍に移動した際に、前記携帯通信端末から他の前記エレベーターの状態情報を受信すること、を特徴とする。
【手続補正３】
【補正対象書類名】明細書
【補正対象項目名】００１２
【補正方法】変更
【補正の内容】
【００１２】
また、前記エレベーターの状態情報及び他の前記エレベーターの状態情報は、少なくともエレベーター位置情報を含み、前記状態情報蓄積部は、前記エレベーターの位置から所定範囲内に他の前記エレベーターが位置している場合に、前記状態情報受信部が前記携帯通信端末から受信した他の前記エレベーターの状態情報の蓄積を行うことを特徴とする。
【手続補正４】
【補正対象書類名】明細書
【補正対象項目名】００１５
【補正方法】変更
【補正の内容】
【００１５】
さらに、本発明に係るエレベーターの遠隔監視システムは、複数のエレベーターを遠隔監視する監視センタと、各エレベーターにそれぞれ設けられ、前記エレベーターの状態に関する状態情報を公衆回線網を利用して前記監視センタに送信するエレベーターの状態情報通信装置と、複数の前記状態情報通信装置間において前記状態情報を送受信する携帯通信端末とを備えるエレベーターの遠隔監視システムであって、前記状態情報通信装置は、前記エレベーターから状態情報を取得する状態情報取得部と、前記エレベーターの状態情報を前記携帯通信端末に送信する状態情報送信部と、他のエレベーターの状態情報を前記携帯通信端末から受信する状態情報受信部と、前記エレベーターの状態情報と他の前記エレベーターの状態情報とをそれぞれ蓄積する状態情報蓄積部と、前記エレベーターの状態情報及び他の前記エレベーターの状態情報に関して前記監視センタと通信する監視通信部と、を備え、前記状態情報送信部は、前記監視通信部が前記監視センタと通信できない場合に、前記エレベーターの状態情報を前記エレベーターの近傍に位置する前記携帯通信端末に送信し、前記状態情報受信部は、前記監視通信部が前記監視センタと通信できる場合で、前記携帯通信端末が他の前記エレベーターの近傍から前記エレベーターの近傍に移動した際に、前記携帯通信端末から他の前記エレベーターの状態情報を受信すること、を特徴とする。
【国際調査報告】
2017216961.tif 000016
2017216961.tif 000017